(57)【要約】【課題】  ステアリング軸のロック解除を防止できるようにする電動式ステアリングコラムロック装置のデッドロック装置を提供する。【解決手段】本発明は、ステアリングコラムに固定され一端部が開放されたハウジングと、前記ハウジング内において許可されたユーザの認証有無に応じて動作するロック機構によりステアリング軸を拘束または解除するロックボルトと、前記ハウジングに着脱可能に結合されるカバーと、前記ハウジングに対し第１装着地点（Ｘ）は固定され、一端部は前記カバーによって収縮した状態で支持され、他端部は前記ハウジングに固定支持され、前記ハウジングから前記カバーの離脱時に前記ロックボルトの移動を制限するスプリングと、を含んで構成されることを特徴とする。【選択図】図６
2009090956.tif 000002
【特許請求の範囲】
【請求項１】
ステアリングコラムに固定され一端部が開放されたハウジングと、
前記ハウジング内において許可されたユーザの認証有無に応じて動作するロック機構によりステアリング軸を拘束または解除するロックボルトと、
前記ハウジングに着脱可能に結合されるカバーと、
前記ハウジングに対し第１装着地点（Ｘ）は固定され、一端部は前記カバーによって収縮した状態で支持され、他端部は前記ハウジングに固定支持され、前記ハウジングから前記カバーの離脱時に前記ロックボルトの移動を制限するスプリングと、
を含んで構成されることを特徴とする電動式ステアリングコラムロック装置のデッドロック装置。
【請求項２】
前記カバーには、前記スプリングの一端部を収縮状態で支持するための突起部が一体形成されることを特徴とする請求項１に記載の電動式ステアリングコラムロック装置のデッドロック装置。
【請求項３】
前記ロックボルトには、前記スプリングの一端部が挿入されるための収納溝が形成されることを特徴とする請求項２に記載の電動式ステアリングコラムロック装置のデッドロック装置。
【請求項４】
前記スプリングの一端部が膨張時に形成する軸線は、前記ロックボルトの離脱方向に対し鋭角をなすように構成されることを特徴とする請求項２に記載の電動式ステアリングコラムロック装置のデッドロック装置。
【請求項５】
ステアリングコラムに固定され両端部が開放されたハウジングと、
前記ハウジング内において許可されたユーザの認証有無に応じて動作するロック機構によりステアリング軸を拘束または解除するロックボルトと、
前記ハウジングの一端部に対し着脱可能に結合されるカバーと、
前記ハウジングに対し第１装着地点（Ｘ）は固定され、一端部は前記カバーによって収縮した状態で支持され、他端部は前記ハウジングに固定支持され、前記ハウジングから前記カバーの離脱時に前記ロックボルトの移動を制限するスプリングと、
前記カバーと対向する部位に前記ハウジングの他端部に対し着脱可能に結合される補助カバーと、
前記ハウジングに対し第２装着地点（Ｙ）は固定され、一端部は前記補助カバーによって収縮した状態で支持され、他端部は前記ハウジングに固定支持され、前記ハウジングから前記補助カバーの離脱時に前記ロックボルトの移動を制限する補助スプリングと、
を含んで構成されることを特徴とする電動式ステアリングコラムロック装置のデッドロック装置。
【請求項６】
前記カバーには、前記スプリングの一端部を収縮状態で支持するための突起部が一体に形成され、前記補助カバーには、前記補助スプリングの一端部を収縮状態で支持するための補助突起部が一体に形成されることを特徴とする請求項５に記載の電動式ステアリングコラムロック装置のデッドロック装置。
【請求項７】
前記ロックボルトの一側には、前記スプリングの一端部が挿入されるための収納溝が形成され、前記ロックボルトの他側には前記補助スプリングの一端部が挿入されるための補助収納溝が形成されることを特徴とする請求項６に記載の電動式ステアリングコラムロック装置のデッドロック装置。
【請求項８】
前記スプリングの一端部が膨張時に形成する軸線は、前記ロックボルトの離脱方向に対し鋭角をなし、前記補助スプリングの一端部が膨張時に形成する軸線は前記ロックボルトの離脱方向に対し鋭角をなすように構成されることを特徴とする請求項６に記載の電動式ステアリングコラムロック装置のデッドロック装置。
【発明の詳細な説明】
【技術分野】
【０００１】
本発明は、電動式ステアリングコラムロック装置に係り、より詳しくは、電動式ロック機構を収納するハウジングからカバーの離脱時にロックボルトの引き出しを人為的に制限するデッドロック装置に関する。
【背景技術】
【０００２】
一般的に、電動式ステアリングコラムロック装置（ＥＳＣＬ；ｅｌｅｃｔｒｉｃ  ｓｔｅｅｒｉｎｇ  ｃｏｌｕｍｎ  ｌｏｃｋ）はモータの駆動によってステアリング軸をロックまたは解除させる一種の盗難防止装置である。
このような電動式ステアリングコラムロック装置は、図１に示すように、ステアリングコラム５１の側部に電動式ロック機構を内装したハウジング５３が設けられる構造になっているが、電動式ロック機構はモータの駆動によって連動してステアリング軸を拘束または解除させるロックボルトなどを備えている。
【０００３】
ハウジング５３は、ステアリングコラム５１に対しせん断ボルト５５を介して締結されており、許可されていない者がステアリングコラム５１からハウジング５３を除去して電動式ロック機構のロック状態を人為的に解除することができないようになっている。
しかし、従来の電動式ステアリングコラムロック装置は、ステアリングコラム５１からハウジング５３の離脱を防止するためにせん断ボルト５５を採択したセキュリティー策を有するのみで、ハウジング５３に対する破損防止のために別の方策を必要としていた。
【０００４】
即ち、従来の電動式ステアリングコラムロック装置における電動式ロック機構に対するセキュリティーのために、ハウジング５３を高強度材質（亜鉛ダイカスト）に代替したり、素材の厚さを厚くしたりするなど、ハウジング５３に対する破損防止のための別の方策を必要としていた。
その結果、電動式ステアリングコラムロック装置の全体重量と体積が増加すると共に製品原価が上昇する問題があった。
【特許文献１】特開２００６−１０３４８９号公報
【特許文献２】特開２００７−２３０３５０号公報
【発明の開示】
【発明が解決しようとする課題】
【０００５】
本発明は、前記のような諸問題を解消するためになされたものであり、電動式ロック機構をステアリングコラム上に装着させるハウジングに着脱可能なカバーを設け、ハウジングからカバー離脱時にロックボルトの移動を制限してステアリング軸のロック解除を防止できるようにする電動式ステアリングコラムロック装置のデッドロック装置を提供することに目的がある。
【課題を解決するための手段】
【０００６】
前記目的を達成するために本発明は、ステアリングコラムに固定され一端部が開放されたハウジングと、前記ハウジング内において許可されたユーザの認証有無に応じて動作するロック機構によりステアリング軸を拘束または解除するロックボルトと、前記ハウジングに着脱可能に結合されるカバーと、前記ハウジングに対し第１装着地点（Ｘ）は固定され、一端部は前記カバーによって収縮した状態で支持され、他端部は前記ハウジングに固定支持され、前記ハウジングから前記カバーの離脱時に前記ロックボルトの移動を制限するスプリングと、を含んで構成されることを特徴とする。
【０００７】
前記カバーには、前記スプリングの一端部を収縮状態で支持するための突起部が一体形成されることを特徴とする。
【０００８】
前記ロックボルトには、前記スプリングの一端部が挿入されるための収納溝が形成されることを特徴とする。
【０００９】
前記スプリングの一端部が膨張時に形成する軸線は、前記ロックボルトの離脱方向に対し鋭角をなすように構成されることを特徴とする。
【００１０】
また、本発明は、ステアリングコラムに固定され両端部が開放されたハウジングと、前記ハウジング内において許可されたユーザの認証有無に応じて動作するロック機構によりステアリング軸を拘束または解除するロックボルトと、前記ハウジングの一端部に対し着脱可能に結合されるカバーと、前記ハウジングに対し第１装着地点（Ｘ）は固定され、一端部は前記カバーによって収縮した状態で支持され、他端部は前記ハウジングに固定支持され、前記ハウジングから前記カバーの離脱時に前記ロックボルトの移動を制限するスプリングと、前記カバーと対向する部位に前記ハウジングの他端部に対し着脱可能に結合される補助カバーと、前記ハウジングに対し第２装着地点（Ｙ）は固定され、一端部は前記補助カバーによって収縮した状態で支持され、他端部は前記ハウジングに固定支持され、前記ハウジングから前記補助カバーの離脱時に前記ロックボルトの移動を制限する補助スプリングと、を含んで構成されることを特徴とする。
【００１１】
前記カバーには、前記スプリングの一端部を収縮状態で支持するための突起部が一体形成され、前記補助カバーには、前記補助スプリングの一端部を収縮状態で支持するための補助突起部が一体形成されることを特徴とする。
【００１２】
前記ロックボルトの一側には、前記スプリングの一端部が挿入されるための収納溝が形成され、前記ロックボルトの他側には前記補助スプリングの一端部が挿入されるための補助収納溝が形成されることを特徴とする。
【００１３】
前記スプリングの一端部が膨張時に形成する軸線は、前記ロックボルトの離脱方向に対し鋭角をなし、前記補助スプリングの一端部が膨張時に形成する軸線は前記ロックボルトの離脱方向に対し鋭角をなすように構成されることを特徴とする。
【発明の効果】
【００１４】
本発明に係る電動式ステアリングコラムロック装置のデッドロック装置によれば、電動式ロック機構をステアリングコラム上に装着させるハウジングに着脱可能に結合されるカバーを設け、ハウジングからカバーの離脱時にロックボルトの移動を制限してステアリング軸のロック解除を防止できるようにすることにより、電動式ステアリングコラムロック装置に対するセキュリティー機能を向上出来る効果がある。
【発明を実施するための最良の形態】
【００１５】
以下、本発明の実施形態を添付した例示図面を参照して詳細に説明する。
【実施例】
【００１６】
図面に示すように、電動式ステアリングコラムロック装置のデッドロック装置は、許可されたユーザの認証有無に応じてステアリング軸を拘束または解除させる電動式ロック機構を内装したハウジング１０が、マウントブラケット１２とせん断ボルト１４を介して締結され、ステアリングコラム１６の外周に対して固定される。
【００１７】
ハウジング１０は、内部に電動式ロック機構を収納しているが、電動式ロック機構は、モータ１８の駆動によって作動するようにモータ１８の回転軸１８ａ上に設けられるウオームギア２０と、ウオームギア２０に歯合するウオームホイール２２、ウオームギア２０とウオームホイール２２をハウジング１０に定位置で支持するホルダー２３、ウオームホイール２２の内部に備えられたカムと接触して支持される連結ピン２４、および、連結ピン２４によって拘束される締結溝２６’を備えたロックボルト２６などを含んで構成される。この場合、ロックボルト２６は、背面がリターンスプリング２７を介して支持されステアリング軸２８を拘束する方向に加圧される。
【００１８】
図面の中で符号２５は、許可されたユーザの認証有無に応じてモータ１８の正逆駆動を制御するためのＰＣＢモジュールである。
ロックボルト２６は、モータ１８の正逆駆動によるウオームギア２０とウオームホイール２２の連動作用によって動作し、ステアリング軸２８の外周面に形成されたセレーション部と選択的に噛合され、ステアリング軸２８をロック状態またはロック解除状態に切り換える。
【００１９】
本発明の第１実施形態に係るハウジング１０は、ステアリングコラム１６に固定され一端部が開放した形態の中空体に形成され、ハウジング１０の一側の開口された部位にカバー３０が着脱可能に結合される。ハウジング１０の内部にはハウジング１０に対し第１装着地点（Ｘ）が固定されたスプリング３２が設けられる。
スプリング３２は、一端部３２ａがカバー３０により収縮した状態で支持され、他端部３２ｂはハウジング１０に対し固定支持される。ロックボルト２６には、スプリング３２の一端部３２ａが挿入されるための収納溝２６ａが形成される。カバー３０には、スプリング３２の一端部３２ａを収縮した状態で支持するために突出した突起部３４が一体形成される。
【００２０】
スプリング３２の一端部３２ａが膨張時にロックボルト２６の収納溝２６ａ内に挿入される時、スプリング３２の一端部３２ａが形成する軸線は、ロックボルト２６の離脱方向に対し鋭角をなすように設けられており、スプリング３２の膨張時の一端部３２ａは、ロックボルト２６の離脱を抑制できるようになっている。
したがって、許可されない者が車両のドアを開放し、電動式ステアリングコラムロック装置を解除しようとハウジング１０からカバー３０を離脱させると、スプリング３２の一端部３２ａは、図６と図７に仮想線で示すように、カバー３０の突起部３４から離れて収縮した状態から膨張した状態に切り換えられ、ロックボルト２６の収納溝２６ａ内に挿入される。
【００２１】
すなわち、ハウジング１０からカバー３０の離脱時、スプリング３２の一端部３２ａはカバー３０の突起部３４からそれ以上支持力を受けなくなるので、スプリング３２の一端部３２ａは、第１装着地点（Ｘ）を中心に他端部３２ｂから外側に向かって膨張して開かれ、ロックボルト２６の収納溝２６ａ内に嵌められる。
その結果、ロックボルト２６は、ハウジング１０内において第１装着地点（Ｘ）が固定設置されたスプリング３２の一端部３２ａによって離脱が拘束され、ステアリング軸２８のロック状態は解除状態に切り換えできず、それによって電動式ステアリングコラムロック装置は自身の機能を果たせなくなる。
【００２２】
一方、本発明の第２実施形態によれば、内部に電動式ロック機構を収納するハウジング１０’は、ステアリングコラム１６に固定されつつ両端部は各々開放した形態の中空体に形成され、ハウジング１０’の一側に開口された部位にカバー３０が着脱可能に結合され、カバー３０と対向する部位に該当するハウジング１０’の他側に開口された部位に補助カバー３０が着脱可能に結合される。
ハウジング１０’は、内部にハウジング１０’に対し第１装着地点（Ｘ）を介して固定されたスプリング３２を設け、ロックボルト２６を基準に対向する部位にスプリング３２とは別途にハウジング１０’に対し第２装着地点（Ｙ）を介して固定された補助スプリング３２’を設ける。
【００２３】
スプリング３２は、一端部３２ａがカバー３０によって収縮した状態で支持され、他端部３２ｂはハウジング１０’に対し固定支持される。また、補助スプリング３２’は、一端部３２ａ’が、補助カバー３０’によって収縮した状態で支持され、他端部３２ｂ’は、ハウジング１０’に固定支持される。
ロックボルト２６の一側には、スプリング３２の一端部３２ａが挿入されるための収納溝２６ａが形成され、カバー３０には、スプリング３２の一端部３２ａを収縮した状態で支持するために突出した突起部３４が一体形成される。また、ロックボルト２６の他側には、補助スプリング３２’の一端部３２ａ’が挿入されるための補助収納溝２６ａ’が形成され、補助カバー３０’には、補助スプリング３２’の一端部３２ａ’を収縮状態で支持するために突出した補助突起部３４’が一体形成される。
【００２４】
この場合、スプリング３２の一端部３２ａの膨張時にロックボルト２６の収納溝２６ａ内に挿入される時、スプリング３２の一端部３２ａが形成する軸線はロックボルト２６の離脱方向に対し鋭角をなすように設けられており、スプリング３２の膨張時に一端部３２ａは、ロックボルト２６の離脱を抑制できるようになっている。また、補助スプリング３２’の一端部３２ａ’が膨張時に形成する軸線もまたロックボルト２６の離脱方向に対し鋭角をなすように設けられており、補助スプリング３２’の膨張時に一端部３２ａ’は、ロックボルト２６の離脱を抑制することができる。
【００２５】
上記構成の本発明の第２実施形態に係るステアリングコラムのデッドロック装置は、１実施形態と同様に機能をする。すなわち、許可されていない者が車両のドアを開放させた後、電動式ステアリングコラムロック装置を解除させようとハウジング１０’からカバー３０または補助カバー３０’を離脱させると、スプリング３２の一端部３２ａまたは補助スプリング３２’の一端部３２ａ’は、各々カバー３０の突起部３４または補助カバー３０’の補助突起部３４’から離れて膨張し、ロックボルト２６の収納溝２６ａまたは収納溝２６ａ’内に挿入され、ロックボルト２６の解除を制限する。
【図面の簡単な説明】
【００２６】
【図１】従来の電動式ステアリングコラムロック装置の設置部位を示す図である。
【図２】従来の電動式ステアリングコラムロック装置のハウジングの設置状態を示す図である。
【図３】本発明に係る電動式ステアリングコラムロック装置のデッドロック装置の設置状態を示す図である。
【図４】本発明に係る電動式ステアリングコラムロック装置のハウジングと、ハウジング内部に設けられる電動式ロック機構の構成を示す図である。
【図５】本発明に係る電動式ステアリングコラムロック装置のハウジングからカバーの離脱時にロックボルトがロック状態に切り換えられる過程を説明するための図である。
【図６】本発明に係る電動式ステアリングコラムロック装置のハウジングからカバーの離脱時にロックボルトがロック状態に切り換えられる過程を説明するための図である。
【図７】本発明に係る電動式ステアリングコラムロック装置のハウジングからカバーの離脱時にロックボルトがロック状態に切り換えられる過程を説明するための図である。
【図８】本発明の他の実施形態を示す図である。
【符号の説明】
【００２７】
１０、１０‘  ハウジング
１２  マウントブラケット
１４  せん断ボルト
１６  ステアリングコラム
１８  モータ
１８ａ  回転軸
２０  ウオームギア
２２  ウオームホイール
２３  ホルダー
２４  連結ピン
２５  ＰＣＢモジュール
２６  ロックボルト
２６’  締結溝、収納溝
２７  リターンスプリング
２８  ステアリング軸
３０  カバー
３２  スプリング
３２’  補助スプリング
３２ａ、３２ｂ  端部
３４  突起部
【図１】
2009090956.tif 000003
【図２】
2009090956.tif 000004
【図３】
2009090956.tif 000005
【図４】
2009090956.tif 000006
【図５】
2009090956.tif 000007
【図６】
2009090956.tif 000008
【図７】
2009090956.tif 000009
【図８】
2009090956.tif 000010